【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  記録媒体の所定領域に対する記録ヘッドの複数回の走査により前記所定領域に画像を形成する画像形成装置において、
前記所定領域に対応する多値の画像データを前記複数回の走査に対応して分配する分配手段と、
前記分配手段により分配された多値の画像データをそれぞれ低階調化する低階調化手段と、
前記低階調化手段により低階調化された画像データに基づいて前記複数回の走査において前記記録ヘッドを駆動して、前記所定領域に画像を形成する形成手段と、
を有することを特徴とする画像形成装置。
【請求項２】  前記低階調化手段は２値化手段であることを特徴とする請求項１に記載の画像形成装置。
【請求項３】  前記分配手段は前記所定領域に対応する多値の画像データを前記複数回の走査において異なる比率で分配することを特徴とする請求項１に記載の画像形成装置。
【請求項４】  前記分配手段は前記所定領域に対応する多値の画像データをその和が１００％以上になるよう前記複数回の走査に分配することを特徴とする請求項１に記載の画像形成装置。
【請求項５】前記分配手段は前記所定領域に対応する多値の画像データをその和が１００％になるよう前記複数回の走査に分配することを特徴とする請求項４に記載の画像形成装置。
【請求項６】  前記低階調化手段は前記複数の走査に対応して異なる処理により低階調化することを特徴とする請求項１に記載の画像形成装置。
【請求項７】  前記低階調化手段は誤差拡散法により多値の画像データを低階調化することを特徴とする請求項１に記載の画像形成装置。
【請求項８】  前記低階調化手段は分配手段によって分配された多値画像データに対する誤差の拡散が異なることを特徴とする請求項７に記載の画像形成装置。
【請求項９】  前記低階調化手段は分配手段によって分配された多値画像データに対する低階調化の閾値が異なることを特徴とする請求項７に記載の画像形成装置。
【請求項１０】  前記分配手段は、前記所定領域に対応する多値の画像データを前記複数回の走査に対応してランダムに分配することを特徴とする請求項１に記載の画像形成装置。
【請求項１１】  前記分配手段は、前記所定領域に対応する多値の画像データを画素単位で特定の順番で前記複数回の走査に分配することを特徴とする請求項１に記載の画像形成装置。
【請求項１２】  前記記録ヘッドは複数色の記録を行うものであって、前記分配手段は前記分配の仕方を色毎に異ならせることを特徴とする請求項１に記載の画像形成装置。
【請求項１３】  前記記録ヘッドは複数色の記録を行うものであって、前記低階調化手段は前記低階調化の仕方を色毎に異ならせることを特徴とする請求項１に記載の画像形成装置。
【請求項１４】  記録媒体の所定領域に対する記録ヘッドの複数回の走査により前記所定領域に画像を形成する画像形成装置において、
前記所定領域に対応する多値の画像データを前記複数回の走査において異なる比率で分配する分配手段と、
前記分配手段により分配された多値の画像データをそれぞれ低階調化する低階調化手段と、
前記低階調化手段により低階調化された画像データに基づいて前記複数回の走査において前記記録ヘッドを駆動することによって画像を形成する形成手段と、
を有することを特徴とする画像形成装置。
【請求項１５】  記録媒体の所定領域に対する記録ヘッドの複数回の走査により前記所定領域に画像を形成する画像形成装置において、
前記所定領域に対応する多値の画像データを前記複数回の走査に対応して分配する分配手段と、
前記分配手段により分配された多値の画像データをそれぞれ異なる処理により低階調化する低階調化手段と、
前記低階調化手段により低階調化された画像データに基づいて前記複数回の走査において前記記録ヘッドを駆動することによって画像を形成する形成手段と、
を有することを特徴とする画像形成装置。
【請求項１６】  記録媒体の所定領域に対する記録ヘッドの複数回の走査により前記所定領域に画像を形成する画像形成方法において、
前記所定領域に対応する多値の画像データを前記複数回の走査に対応して分配する分配工程と、
前記分配工程において分配された多値の画像データをそれぞれ低階調化する低階調化工程と、
前記低階調化工程において低階調化された画像データに基づいて前記複数回の走査において前記記録ヘッドを駆動して、前記所定領域に画像を形成する形成工程と、
を有することを特徴とする画像形成方法。
【手続補正２】
【補正対象書類名】明細書
【補正対象項目名】００２８
【補正方法】変更
【補正の内容】
【００２８】
【課題を解決するための手段】
上記目的を達成するための本発明は、記録媒体の所定領域に対する記録ヘッドの複数回の走査により前記所定領域に画像を形成する画像形成装置において、前記所定領域に対応する多値の画像データを前記複数回の走査に対応して分配する分配手段と、前記分配手段により分配された多値の画像データをそれぞれ低階調化する低階調化手段と、前記低階調化手段により低階調化された画像データに基づいて前記複数回の走査において前記記録ヘッドを駆動して、前記所定領域に画像を形成する形成手段と、を有することを特徴とする。
【手続補正３】
【補正対象書類名】明細書
【補正対象項目名】００３１
【補正方法】変更
【補正の内容】
【００３１】
また、本発明は、記録媒体の所定領域に対する記録ヘッドの複数回の走査により前記所定領域に画像を形成する画像形成方法において、前記所定領域に対応する多値の画像データを前記複数回の走査に対応して分配する分配工程と、前記分配工程において分配された多値の画像データをそれぞれ低階調化する低階調化工程と、前記低階調化工程において低階調化された画像データに基づいて前記複数回の走査において前記記録ヘッドを駆動して、前記所定領域に画像を形成する形成工程と、を有することを特徴とする。
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】変更
【補正の内容】
【００４１】
上記構成によれば、物理的な精度誤差によるレジストレーションが微妙に変化しても、レジストレーションの変化に対する依存度が低下するため、画像濃度が大きく変化せず濃度むらの軽減された均一な画像を形成することができる。
【手続補正１４】
【補正対象書類名】明細書
【補正対象項目名】０１９４
【補正方法】変更
【補正の内容】
【０１９４】
【発明の効果】
本発明によれば、物理的な精度誤差によるレジストレーションが微妙に変化しても、レジストレーションの変化に対する依存度が低下するため、画像濃度が大きく変化せず濃度むらの軽減された均一な画像を形成することができる。